(57)【要約】【課題】動作時及び製造ラインでの検査時に、ＮＤフィルタの外乱による切り替わりを自動的に検知することが可能な光ピックアップ装置及びその制御装置を提供すること。【解決手段】光ピックアップ装置は、光ディスクに照射する光を出射するＬＤ１と、このＬＤ１からの出射光の光量を調整するＮＤフィルタ２と、このＮＤフィルタ２により調整された光を受光し、検知信号を出力するＦＰＤ４と、この検知信号に基づいて上記ＬＤ１の駆動電流が適正であるか否かを判断し、適正となるように上記ＬＤ１に制御信号を送出するＡＰＣ５と、を備えた光ピックアップ１００と、上記ＡＰＣ５からの制御信号をモニタし、当該制御信号に基づいて駆動電流が所定時間の間に所定の閾値を超えて変化した場合に上記ＮＤフィルタ２を駆動制御するＣＰＵ８を備えた制御部１０１と、からなる。【選択図】      図１
2008251104.tif 000002
【特許請求の範囲】
【請求項１】
光ディスクに照射する光を出射する発光手段と、
上記発光手段からの出射光の光量を調整する光量調整手段と、
上記光量調整手段により調整された光を受光し、検知信号を出力する受光手段と、
上記検知信号に基づいて上記発光手段の駆動電流が適正であるか否かを判断し、適正となるように上記発光手段に制御信号を送出する駆動電流制御手段と、
上記駆動電流制御手段からの制御信号をモニタし、当該制御信号に基づいて駆動電流が所定時間の間に所定の閾値を超えて変化した場合に上記光量調整手段を駆動制御する制御手段とを備えた
ことを特徴とする光ピックアップ装置。
【請求項２】
上記光量調整手段は、ニュートラル・デンシティ・フィルタと駆動手段からなり、
上記制御手段は、当該駆動手段に制御信号を送出することで、ニュートラル・デンシティ・フィルタの位置を変更する
ことを特徴とする請求項１に記載の光ピックアップ装置。
【請求項３】
光ディスクに照射する光を出射する発光手段と、上記発光手段からの出射光の光量を調整する光量調整手段と、上記光量調整手段により調整された光を受光し、検知信号を出力する受光手段と、上記検知信号に基づいて上記発光手段の駆動電流が適正であるか否かを判断し、適正となるように上記発光手段に制御信号を送出する駆動電流制御手段とを備えた光ピックアップ装置の制御装置であって、
上記駆動電流制御手段からの制御信号をモニタし、当該制御信号に基づいて駆動電流が所定時間の間に所定の閾値を超えて変化した場合に上記光量調整手段を駆動制御する制御手段を備えた
ことを特徴とする光ピックアップ装置の制御装置。
【請求項４】
上記光量調整手段は、ニュートラル・デンシティ・フィルタと駆動手段からなり、
上記制御手段は、当該駆動手段に制御信号を送出することで、ニュートラル・デンシティ・フィルタの位置を変更する
ことを特徴とする請求項３に記載の光ピックアップ装置の制御装置。
【発明の詳細な説明】
【技術分野】
【０００１】
本発明は、例えば光ディスクドライブ装置などに適用可能な光ピックアップ装置及びその制御装置に係り、特にＮＤフィルタが使用された光ピックアップ装置及びその制御装置に関する。
【背景技術】
【０００２】
従来、例えば、光学ピックアップ装置のレーザー光路ではＮＤ(Neutral Density)フィルタが使用されている。このＮＤフィルタは、その構造上、外部からの衝撃により意図せずに切り替ることがあり、その場合には、光ピックアップ装置の動作異常やディスクに誤データを書き込む等との障害をもたらしてしまう。
【０００３】
このような問題に対して、従来は、光学ピックアップ装置の外部に加速度センサを配設し、所定の閾値以上の出力（加速度信号）を検知すると動作を中断し、再度、ＮＤフィルタを機械的に引き込み直すといった手法が採用されている。
【０００４】
また、製造ラインでの検査時においては、従来は、オペレータが光ピックアップ装置に配設されたＮＤフィルタの動作音に基づき個別に動作確認する手法が採られている。
【０００５】
尚、光ピックアップ装置の光学的な調整を目的とするものとして、例えば、特許文献１では、光源に供給される駆動電流を検出する検出手段を備え、当該駆動電流の変化に基づいて可動ミラーを回動することで出射光軸を調整することを目的とした光ピックアップの調整装置が開示されている。
【０００６】
【特許文献１】特開２０００−３３１３４９号公報
【発明の開示】
【発明が解決しようとする課題】
【０００７】
しかしながら、前述した加速度センサの出力が所定の閾値を越えた場合に動作を中断して当該ＮＤフィルタを機械的に引き込み直す手法では、加速度センサの出力が所定の閾値を越えずに、ＮＤフィルタが意図せずに切り替わった場合には対応できない。
【０００８】
また、前述した製造ラインの検査時において、ＮＤフィルタの動作チェックをする際に動作音を聞いて確認する手法では、製造ラインに無駄なチェック工数を要していた。
【０００９】
そこで、本発明は、少なくとも光ピックアップ装置の動作時及び製造ラインでの検査時に、ＮＤフィルタの外乱による切り替わりを自動的に検知することを課題とする。
【課題を解決するための手段】
【００１０】
本発明の第１の観点による光ピックアップ装置では、発光手段が光ディスクに照射する光を出射し、光量調整手段が、上記発光手段からの出射光の光量を調整し、受光手段が上記光量調整手段により調整された光を受光し、検知信号を出力し、駆動電流制御手段が上記検知信号に基づいて上記発光手段の駆動電流が適正であるか否かを判断し、適正となるように上記発光手段に制御信号を送出する。そして、特に、制御手段が、上記駆動電流制御手段からの制御信号をモニタし、当該制御信号に基づいて駆動電流が所定時間の間に所定の閾値を超えて変化した場合に上記光量調整手段を駆動制御する。
【００１１】
したがって、制御手段により、発光手段の駆動電流に基づいて、光量調整手段の状態異常が自動で検知され、当該光量調整手段が適正な位置に再引き戻しされる。
【００１２】
本発明の第２の観点による光ピックアップ装置の制御装置は、光ディスクに照射する光を出射する発光手段と、上記発光手段からの出射光の光量を調整する光量調整手段と、上記光量調整手段により調整された光を受光し、検知信号を出力する受光手段と、上記検知信号に基づいて上記発光手段の駆動電流が適正であるか否かを判断し、適正となるように上記発光手段に制御信号を送出する駆動電流制御手段とを備えた光ピックアップ装置の制御装置であって、特に制御手段が、上記駆動電流制御手段からの制御信号をモニタし、当該制御信号に基づいて駆動電流が所定時間の間に所定の閾値を超えて変化した場合に上記光量調整手段を駆動制御する。
【００１３】
したがって、制御手段により、発光手段の駆動電流に基づいて、光量調整手段の状態異常が自動で検知され、当該光量調整手段が適正な位置に再引き戻しされるよう制御されることになる。
【発明の効果】
【００１４】
本発明によれば、少なくも動作時及び製造ラインでの検査時に、ＮＤフィルタの外乱による切り替わりを自動的に検知することが可能な光ピックアップ装置及びその制御装置を提供することができる。
【発明を実施するための最良の形態】
【００１５】
以下、図面を参照して、本発明を実施するための最良の実施の形態（以下、単に実施の形態と称する）について詳細に説明する。
【００１６】
図１には本発明の一実施の形態に係る光ピックアップ装置及びその制御装置の構成を示し説明する。この光ピックアップ装置は、光ピックアップ１００とその制御部１０１からなる。そして、制御部１０１は、その制御装置として機能する。
【００１７】
この図１に示されるように、光ピックアップ１００側においては、レーザーダイオード（LD；Laser Diode）１の出射光の光路上には、光軸に垂直な平面において移動可能なＮＤフィルタ２が配設されている。このＬＤ１は、例えば発光手段として機能し、ＮＤフィルタは、例えば光量調整手段の一部として機能する。さらに先の光軸上にはプリズムビームスプリッタ（PBS；Prism Beam splitter）３が配置されている。
【００１８】
ＰＢＳ３は、入射光を２つの直交する偏光成分に分離して出射する。
【００１９】
このＰＢＳ３により、一部の光は光ディスク１１に照射され、一部の光はフロントフォトディテクタ(FPD；Front Photo Detector)４へと導かれる。
【００２０】
このＦＰＤ４は、例えば受光手段として機能することになる。このＦＰＤ４の出力はオートパワーコントロール（APC；Automatic Power Control）５の入力に接続されており、当該ＡＰＣ５の出力はＬＤ１、並びに制御部１０１側のＡ／Ｄコンバータ７に接続されている。このＡＰＣ５は、例えば駆動電流制御手段として機能する。
【００２１】
一方、制御部１０１側においては、Ａ／Ｄコンバータ７の出力は中央演算処理装置(CPU；Central Processing Unit)８の入力に接続されており、当該ＣＰＵ８は制御バス１２を介してＲＡＭ(random Access Memory)１０やＲＯＭ(Read Only Memory)９と接続されている。このＲＯＭ９には、ＮＤフィルタ２を駆動制御するための制御プログラムや、後述する閾値等のパラメータが予め格納されている。そして、ＲＡＭ１０は、例えば各種演算の際の一時記憶領域として用いられるものである。ＣＰＵ８の出力は、光ピックアップ１００側のＮＤフィルタ２の駆動用の駆動部６に接続されている。この駆動部６は、例えばプランジャ等により構成されているが、これには限定されない。この駆動部６は、例えば光量調整手段の一部として機能することになる。
【００２２】
このような構成において、ＬＤ１からの出射光は、ＮＤフィルタ２、ＰＢＳ３を介して光ディスク１１に照射される。ＮＤフィルタ２は、ＬＤ１からの出射光の強度を予め設計された割合だけ減光する役割を担っている。即ち、ＮＤフィルタ２により出射光の光量が調整されることになる。この出射光の一部はＰＢＳ３にて反射されＦＰＤ４にて検出される。ＦＰＤ４は、ＬＤ１の検知信号をＡＰＣ５に送出する。ＡＰＣ５は当該検知信号に基づいてＬＤ１の駆動電流を検知し、当該駆動電流が適正でない場合には、ＬＤ１に制御信号を送出し、駆動電流が適正となるよう制御する。
【００２３】
このＡＰＣ５の制御信号は、モニタ信号として制御部１０１側のＡ／Ｄコンバータ７にも送出され、当該Ａ／Ｄコンバータ７にてデジタル信号に変換され、ＣＰＵ８に送出される。ＣＰＵ８は、このデジタル信号に基づいて、ＬＤ１の駆動電流を監視し、当該駆動電流が急激に変化した場合、ＮＤフィルタ２が衝撃などにより意図せずに切り替わったものと判断し、動作を中断し、駆動部６を駆動して、当該ＮＤフィルタ２を正しい方向に引き込む動作に入ることとなる。尚、ＣＰＵ８は、かかる制御に際しては、ＲＯＭ９に格納されている制御プログラムを読み出し、当該制御プログラムに基づき制御を実行する。その際、ＲＯＭ９に格納されている閾値等の各種パラメータを参照する。
【００２４】
ＬＤ１の光量を制御するＮＤフィルタ２が意図せずに切り替わると、ＡＰＣ５からＬＤ１へのループ内でフィードバック制御が働き、ＡＰＣ５は駆動電流を調整しようとする方向に働く。従って、この駆動電流の変化を常時観測すれば、衝撃による意図しないＮＤフィルタ２の切り替わりが起きていないか判定できるのである。
【００２５】
以下、図２のフローチャートを参照して、本発明の一実施の形態に係る光ピックアップ装置、特に制御装置（制御部１０１に相当）による処理を詳細に説明する。
【００２６】
この処理は、ＡＰＣ５によるＬＤ１の駆動電流制御と並行して実施される。
【００２７】
ＣＰＵ８は、Ａ／Ｄコンバータ７にてデジタル信号に変換されたＬＤ１の駆動電流をモニタし（ステップＳ１）、当該ＬＤ１の駆動電流の変化量が予め定められた閾値を越えたか否かを判断する（ステップＳ２）。例えば、図３では、横軸は時間、縦軸はＬＤ１の駆動電流を示しているが、ある短時間に駆動電流が急激に変化し、その変化量が所定の閾値を越えた場合には、ＣＰＵ８は、異常が発生したものと検知する。
【００２８】
このステップＳ２にて、駆動電流が閾値を越えていない場合には（ステップＳ２をＮｏに分岐）、ステップＳ１に戻り、駆動電流のモニタを継続する。一方、駆動電流が閾値を越えた場合には（ステップＳ２をＹｅｓに分岐）、ＣＰＵ８はＮＤフィルタ２が、例えば落下などの衝撃により意図せずに切り替わったものと判断し（ステップＳ３）、光ピックアップ１００のドライブ動作を中断し、駆動部６に制御信号を送出し、当該駆動部６によりＮＤフィルタ２の再引き込み処理を行い（ステップＳ４）、本処理を終了する。
【００２９】
尚、以上は、光ピックアップ装置及びその制御装置としての実施の形態であったが、前述の処理を製造ラインでの動作確認に採用することも可能である。この場合には、ＬＤを発光させて、ＮＤフィルタのみを切り替えたときに、ＬＤの駆動電流が変化したかどうか観測し、電流が前後で変化すれば動作は正常であると判断できる。
【００３０】
以上説明したように、本発明の一実施の形態に係る光ピックアップ装置及びその制御装置によれば、ＮＤフィルタの異常、例えば外乱によって切り替わることを検知し状態を自動修正することができる。また、ＮＤフィルタに故障がないか否か動作確認を自動で行うことができる。更に、製造ラインで自動的に動作確認ができる。
【００３１】
以上、本発明の実施の形態について説明したが、本発明はこれに限定されることなくその趣旨を逸脱しない範囲で種々の改良・変更が可能であることは勿論である。
【００３２】
例えば、ＮＤフィルタの異常を検知するための駆動電流変化に係る変化量の閾値をデュアルレイヤー（ＤＬ）、シングルレイヤー（ＳＬ）の各モード毎に定めてもよい。
【図面の簡単な説明】
【００３３】
【図１】本発明の一実施の形態に係る光ピックアップ装置及びその制御装置の構成を示すブロック図である。
【図２】本発明の一実施の形態に係る光ピックアップ装置、特に制御装置（制御部１０１に相当）による処理を詳細に説明するフローチャートである。
【図３】時間経過に伴う駆動電流の変化を示す特性図である。
【符号の説明】
【００３４】
１…ＬＤ、２…ＮＤフィルタ、３…ＰＢＳ、４…ＦＰＤ、５…ＡＰＣ、６…駆動部、７…Ａ／Ｄコンバータ、８…ＣＰＵ、９…ＲＯＭ、１０…ＲＡＭ、１１…光ディスク、１００…光ピックアップ、１０１…制御部
【図１】
2008251104.tif 000003
【図２】
2008251104.tif 000004
【図３】
2008251104.tif 000005